【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
難燃性材料の物体を形成する方法であって、前記方法が、
ポリアミド及び臭素化炭化水素の混合粉体の第１層を表面に形成し、
第１層の少なくとも第１部分にエネルギーを照射して、混合粉体の第１層の少なくとも第１部分を結合させて物体の第１断面を形成し、
混合粉体の追加の層を連続的に形成しエネルギーを照射して物体の連続的な断面を形成し、照射エネルギーによって断面に隣接する層も結合させる
ステップを含む方法。
【請求項２】
ポリアミド及び臭素化炭化水素の混合粉体の第１層を形成するステップが、ポリアミド−１１及びポリアミド−１２のうちの少なくとも１つを臭素化炭化水素と混合するステップを含む請求項１に記載の方法。
【請求項３】
ポリアミド及び臭素化炭化水素の混合粉体の第１層を形成するステップが、ポリアクリレート及びビスエタンのうちの少なくとも１つをポリアミドと混合するステップを含む請求項１に記載の方法。
【請求項４】
ポリアミド及び臭素化炭化水素の混合粉体の第１層を形成するステップが、約２〜２５％の臭素化炭化水素を含む混合物を形成するステップを含む請求項１に記載の方法。
【請求項５】
ポリアミド及び臭素化炭化水素の混合粉体の第１層を形成するステップが、
ポリアミド及び臭素化炭化水素を溶解工程で結合させ、
結合したポリアミド及び臭素化炭化水素を化合物として押出し、そして
押出された化合物を粉砕する
ステップを含む請求項１に記載の方法。
【請求項６】
ポリアミド及び臭素化炭化水素の混合粉体の第１層を形成するステップが、ポリアミドと臭素化炭化水素を乾式混合工程で結合させるステップを含む請求項１に記載の方法。
【請求項７】
ポリアミド及び臭素化炭化水素の混合粉体の第１層を形成するステップが、ポリアミドの粒子を臭素化炭化水素の粒子でコーティングするステップを含む請求項１に記載の方法。
【請求項８】
ポリアミド、及び
約２〜２５％の難燃性材料を含む臭素化炭化水素
を含む難燃性材料。
【請求項９】
前記ポリアミド及び前記臭素化炭化水素がそれぞれ、選択的レーザー焼結工程を用いて結合された粉体化合物を含む請求項８に記載の難燃性材料。
【請求項１０】
前記ポリアミドがポリアミド−１１及びポリアミド−１２のうちの１つを含む請求項８に記載の難燃性材料。
【請求項１１】
前記臭素化炭化水素が一以上のポリアクリレート及びビスエタンを含む請求項８に記載の難燃性材料。
【請求項１２】
前記ポリアクリレートがペンタブロモベンジルを含む請求項８に記載の難燃性材料。
【請求項１３】
前記ビスエタンがトリブロモフェノキシを含む請求項８に記載の難燃性材料。
【請求項１４】
前記ポリアミド及び前記臭素化炭化水素が溶解工程において結合され、化合物として押出される請求項８に記載の難燃性材料。
【手続補正２】
【補正対象書類名】明細書
【補正対象項目名】０００１
【補正方法】削除
【補正の内容】
【手続補正３】
【補正対象書類名】明細書
【補正対象項目名】００３６
【補正方法】変更
【補正の内容】
【００３６】
本発明を様々な特定の実施形態の観点から説明したが、当業者には請求項の精神及び範囲内において変更を行い本発明を実行することができることが認識されるであろう。
また、本発明は以下に記載する態様を含む。
（態様１）
ポリアミド、及び
約２〜２５％の難燃性材料を含む臭素化炭化水素
を含む難燃性材料。
（態様２）
前記ポリアミド及び前記臭素化炭化水素がそれぞれ、選択的レーザー焼結工程を用いて結合された粉体化合物を含む態様１に記載の難燃性材料。
（態様３）
前記ポリアミドがポリアミド−１１及びポリアミド−１２のうちの１つを含む態様１に記載の難燃性材料。
（態様４）
前記臭素化炭化水素が一以上のポリアクリレート及びビスエタンを含む態様１に記載の難燃性材料。
（態様５）
前記ポリアクリレートがペンタブロモベンジルを含む態様１に記載の難燃性材料。
（態様６）
前記ビスエタンがトリブロモフェノキシを含む態様１に記載の難燃性材料。
（態様７）
前記ポリアミド及び前記臭素化炭化水素が溶解工程において結合され、化合物として押出される態様１に記載の難燃性材料。
（態様８）
前記押出された化合物が粉砕され、選択的レーザー焼結工程が施される態様７に記載の難燃性材料。
（態様９）
前記ポリアミド及び前記臭素化炭化水素が乾式混合工程において結合される態様１に記載の難燃性材料。
（態様１０）
前記ポリアミド及び前記臭素化炭化水素が、前記ポリアミドの粒子を前記臭素化炭化水素の粒子でコーティングすることによって結合される態様１に記載の難燃性材料。
（態様１１）
難燃性材料の物体を形成する方法であって、前記方法が、
ポリアミド及び臭素化炭化水素の混合粉体の第１層を表面に形成し、
第１層の少なくとも第１部分にエネルギーを照射して、混合粉体の第１層の少なくとも第１部分を結合させて物体の第１断面を形成し、
混合粉体の追加の層を連続的に形成しエネルギーを照射して物体の連続的な断面を形成し、照射エネルギーによって断面に隣接する層も結合させる
ステップを含む方法。
（態様１２）
ポリアミド及び臭素化炭化水素の混合粉体の第１層を形成するステップが、ポリアミド−１１及びポリアミド−１２のうちの少なくとも１つを臭素化炭化水素と混合するステップを含む態様１１に記載の方法。
（態様１３）
ポリアミド及び臭素化炭化水素の混合粉体の第１層を形成するステップが、ポリアクリレート及びビスエタンのうちの少なくとも１つをポリアミドと混合するステップを含む態様１１に記載の方法。
（態様１４）
ポリアミド及び臭素化炭化水素の混合粉体の第１層を形成するステップが、約２〜２５％の臭素化炭化水素を含む混合物を形成するステップを含む態様１１に記載の方法。
（態様１５）
第１層の少なくとも第１部分にエネルギーを照射するステップが、ポリアミド及び臭素化炭化水素を選択的レーザー焼結工程を用いて結合させるステップを含む態様１１に記載の方法。
（態様１６）
ポリアミド及び臭素化炭化水素の混合粉体の第１層を形成するステップが、
ポリアミド及び臭素化炭化水素を溶解工程で結合させ、
結合したポリアミド及び臭素化炭化水素を化合物として押出し、そして
押出された化合物を粉砕する
ステップを含む態様１１に記載の方法。
（態様１７）
第１層の少なくとも第１部分にエネルギーを照射するステップが、粉砕された化合物に選択的レーザー焼結工程を施すステップを含む態様１６に記載の方法。
（態様１８）
ポリアミド及び臭素化炭化水素の混合粉体の第１層を形成するステップが、ポリアミドと臭素化炭化水素を乾式混合工程で結合させるステップを含む態様１１に記載の方法。
（態様１９）
ポリアミド及び臭素化炭化水素の混合粉体の第１層を形成するステップが、ポリアミドの粒子を臭素化炭化水素の粒子でコーティングするステップを含む態様１１に記載の方法。
（態様２０）
難燃性材料から形成される物体であって、前記物体の少なくとも一領域が、選択的にレーザー焼結された複数のポリアミド及び臭素化炭化水素の混合物の断面層を含む物体。
（態様２１）
ポリアミド及び臭素化炭化水素の混合物が、約２〜２５％の臭素化炭化水素を含む態様２０に記載の物体。
（態様２２）
ポリアミド及び臭素化炭化水素の混合物が、約７〜１６％の臭素化炭化水素を含む態様２０に記載の物体。
（態様２３）
互いに隣接する前記断面層が選択的レーザー焼結工程において互いに結合される態様２０に記載の物体。
（態様２４）
ポリアミドが、ポリアミド−１１材料及びポリアミド−１２材料のうちの少なくとも１つを含む態様２０に記載の物体。
（態様２５）
臭素化炭化水素が、ポリアクリレートを含む態様２０に記載の物体。
（態様２６）
ポリアクリレートが、ペンタブロモベンジルを含む態様２５に記載の物体。
（態様２７）
臭素化炭化水素が、ビスエタンを含む態様２０に記載の物体。
（態様２８）
ビスエタンが、トリブロモフェノキシを含む態様２７に記載の物体。
（態様２９）
ポリアミド及び臭素化炭化水素が溶解工程を用いて結合され化合物を形成し、化合物が押出され、その後選択的レーザー焼結処理のために粉砕されて粉体状態になる態様２０に記載の物体。
（態様３０）
ポリアミド及び臭素化炭化水素が乾式混合工程を用いて結合される態様２０に記載の物体。
（態様３１）
ポリアミド及び臭素化炭化水素が、ポリアミドの粒子を臭素化炭化水素の粒子でコーティングすることによって結合される態様２０に記載の物体。